(57)【要約】【課題】情報を読み出し、あるいは書き込む際に情報記録媒体の位置を特定しなくとも管理対象を容易に管理することが可能な管理システムを提供すること。【解決手段】情報端末を含む外部装置８と、管理対象４に装着した情報記録媒体５ａとの間で情報を送受信し、管理対象に関する情報を管理する管理システム１は、情報記録媒体５ａとの間で情報を送受信するアンテナ３と、外部装置と通信する通信部６とを有し、管理対象を収容する収容体２を備え、アンテナは、管理対象が収容される領域を感度領域とし、外部装置は、情報記録媒体との間でアンテナを介して情報を送受信する。【選択図】        図１
2006243925.tif 000002
【特許請求の範囲】
【請求項１】
情報端末を含む外部装置と、管理対象に装着した情報記録媒体との間で情報を送受信し、前記管理対象に関する情報を管理する管理システムであって、
前記情報記録媒体との間で情報を送受信するアンテナと、前記外部装置と通信する通信手段とを有し、前記管理対象を収容する収容体を備え、
前記アンテナは、前記管理対象が収容される領域を感度領域とし、
前記外部装置は、前記情報記録媒体との間で前記アンテナを介して情報を送受信することを特徴とする管理システム。
【請求項２】
前記通信手段は、前記情報記録媒体から情報を読み取る読取手段および／または前記情報記録媒体に情報を書き込む書込手段を備えていることを特徴とする請求項１に記載の管理システム。
【請求項３】
前記外部装置は、入力手段を備え、前記通信手段を介して前記読取手段または前記書込手段を操作することを特徴とする請求項１に記載の管理システム。
【請求項４】
前記収容体は、管理対象が人間の場合には少なくとも前記アンテナを設けた寝台であることを特徴とする請求項１〜３のいずれか一つに記載の管理システム。
【請求項５】
前記収容体は、管理対象が動物の場合には少なくとも前記アンテナを構造体の一部に含む檻であることを特徴とする請求項１〜３のいずれか一つに記載の管理システム。
【発明の詳細な説明】
【技術分野】
【０００１】
本発明は、情報記録媒体を装着した管理対象の管理システムに関するものである。
【背景技術】
【０００２】
従来、小型の集積回路と無線通信用のアンテナとを組み合わせたＲＦＩＤ（Radio Frequency Identification）タグまたはカード状の樹脂基板にＲＦＩＤタグを埋設した非接触ＩＣカード等の情報記録媒体と、情報記録媒体に記録された情報を読み取り、あるいは情報記録媒体に所望の情報を書き込む機能を備えたＰＤＡ（Personal Digital Assistant）または非接触ＩＣカードリーダライタ等の携帯型情報端末装置とを用いたＲＦＩＤシステムが開発されている。
【０００３】
このＲＦＩＤシステムは、複数の情報記録媒体のそれぞれに記録された情報を一括して認識できる点、情報記録媒体に記録できる情報量が多い点、情報記録媒体に記録された情報を交信できる点、情報記録媒体が超小型である点、情報記録媒体と携帯型情報端末装置との間に障害物が存在しても情報通信が可能である点等、多くの利点を有している。このため、ＲＦＩＤシステムを利用して、例えば、医療現場における患者の誤認を防止する患者誤認防止のための病院医療情報システムが提案されている（特許文献１参照。）。ここで、特許文献１に開示された病院医療情報システムにおいては、予め患者の腕にＲＦＩＤタグを取り付けたリストバンドを装着しておき、ＲＦＩＤリーダライタを備えた携帯型情報端末装置によってＲＦＩＤタグに記録された情報を読み出し、あるいは書き込んで患者に関する情報を管理している。
【０００４】
【特許文献１】特開２００２−１３２９６２号公報
【発明の開示】
【発明が解決しようとする課題】
【０００５】
ところで、ＲＦＩＤタグは、非接触で情報を読み出し、あるいは書き込むことができる点で優れてはいるものの、読み出しや書き込みの際に、ＲＦＩＤタグの位置を特定して携帯型情報端末装置を近づける必要がある。しかし、患者は、通常、寝具を掛けて横臥していることから、姿勢によってはＲＦＩＤタグの位置の特定が難しく、情報を読み出し、あるいは書き込む際に制約があった。特に、夜間等のように患者が睡眠中は、不用意にＲＦＩＤタグを捜すと患者の睡眠を妨げてしまうという問題があった。
【０００６】
一方、ペットショップや動物園のような動物を管理対象とする分野では、動物が檻の中にいることから、ＲＦＩＤタグの位置の特定が難しいうえ、危険な猛獣等の場合には携帯型情報端末装置を近づけることが難しいという問題があった。
【０００７】
本発明は、上記に鑑みてなされたものであって、情報を読み出し、あるいは書き込む際に情報記録媒体の位置を特定しなくとも管理対象を容易に管理することが可能な管理システムを提供することを目的とする。
【課題を解決するための手段】
【０００８】
上述した課題を解決し、目的を達成するために、請求項１に係る管理システムは、情報端末を含む外部装置と、管理対象に装着した情報記録媒体との間で情報を送受信し、前記管理対象に関する情報を管理する管理システムであって、前記情報記録媒体との間で情報を送受信するアンテナと、前記外部装置と通信する通信手段とを有し、前記管理対象を収容する収容体を備え、前記アンテナは、前記管理対象が収容される領域を感度領域とし、前記外部装置は、前記情報記録媒体との間で前記アンテナを介して情報を送受信することを特徴とする。
【０００９】
請求項１の発明によれば、情報の読み出しや書き込みの際に、外部装置は、状況に応じて直接あるいはアンテナを介して情報記録媒体と情報を送受信すればよく、情報の管理が容易になる。
【００１０】
また、請求項２の管理システムは、上記の発明において、前記通信手段は、前記情報記録媒体から情報を読み取る読取手段および／または前記情報記録媒体に情報を書き込む書込手段を備えていることを特徴とする。
【００１１】
また、請求項３の管理システムは、上記の発明において、前記外部装置は、入力手段を備え、前記通信手段を介して前記読取手段または前記書込手段を操作することを特徴とする。
【００１２】
また、請求項４の管理システムは、上記の発明において、前記収容体は、管理対象が人間の場合には少なくとも前記アンテナを設けた寝台であることを特徴とする。
【００１３】
また、請求項５の管理システムは、上記の発明において、前記収容体は、管理対象が動物の場合には少なくとも前記アンテナを構造体の一部に含む檻であることを特徴とする。
【発明の効果】
【００１４】
本発明にかかる管理システムは、情報を読み出し、あるいは書き込む際、情報記録媒体の位置を特定しなければならないという制約がなく、管理対象を容易に管理することができるという効果を奏する。
【発明を実施するための最良の形態】
【００１５】
以下に、本発明の管理システムに係る実施の形態を図面に基づいて詳細に説明する。
【００１６】
（実施の形態１）
図１は、本発明の管理システムとして、医療現場における患者の管理システムに係る実施の形態１を示す斜視図である。図２は、図１の管理システムの構成を示すブロック図である。即ち、患者の管理システム１は、図１に示すように、ベッド２及び外部装置８を備えている。
【００１７】
ベッド２は、患者４が横臥する収容体であり、外周に沿ってループ状に埋設されたアンテナ３と、外部装置８と通信する通信部６とを有している。ベッド２は、人間が横臥するものであれば、診察台や治療台等であってもよい。アンテナ３は、患者４が横臥する略全ての領域をループ状に取り囲んで感度領域とするものであり、単一のアンテナあるいは頭部，腹部，足部のように複数のアンテナを組み合わせたものからなる。アンテナ３は、通信部６と接続され、後述するＲＦＩＤタグ５ａに記録された情報を読み出し、あるいは外部装置８から送信され、通信部６が受信した信号をＲＦＩＤタグ５ａに書き込む。アンテナ３は、ベッド２の外周面に設けてもよい。患者４は、ＲＦＩＤタグ５ａを取り付けたリストバンド５を手首に装着している。患者４は、ベッド２に横臥して本発明の管理システムの管理対象となるものであれば、病院等に入院している患者の他、在宅患者、更には、在宅介護老人等も含む。ここで、ＲＦＩＤタグ５ａは、ＩＣチップとコイル状のアンテナを有するＩＣタグで、患者４に関する種々の情報が書き込まれている。患者４に関する情報としては、例えば、氏名，住所，年齢，性別，生年月日，身長，体重，血液型，病名，入院日，診療科，カルテ番号，担当医師，担当看護士等の基礎情報の他、既往症，服用薬名，処方注射の用量，回数，日数等、管理態様に応じた種々の情報がある。
【００１８】
通信部６は、ＲＦＩＤタグ５ａと外部装置８との間に介在させて、ＲＦＩＤタグ５ａと外部装置８との間における信号の授受を媒介するもので、図２に示すように、ＲＦＩＤリーダライタ６ａを備えている。ここで、ＲＦＩＤリーダライタ６ａは、外部装置８がリーダライタ８ｃを有していれば、必ずしも必要ではない。
【００１９】
外部装置８は、図２に示すように、アンテナ８ａ、制御部８ｂ及びリーダライタ８ｃを有し、アンテナ８ａとベッド２のアンテナ３との間を電磁的，静電的あるいは機械的に結合して情報信号を送受信する携帯情報端末（ＰＤＡ: Personal digital assistant）である。このとき、外部装置８は、図１及び図２に示すように、操作キー等の入力部８ｄを備え、通信部６を介してＲＦＩＤリーダライタ６ａを操作するようにしてもよい。このようにすると、外部装置８は、リーダライタ８ｃがなくとも良い。また、外部装置８は、通信部６を介してＲＦＩＤタグ５ａとの間で情報の授受ができれば、ハンディターミナルや携帯電話であってもよいし、パーソナルコンピュータであってもよい。この場合、通信部６と外部装置８との間は、無線ＬＡＮ，ＩｒＤＡ（Infrared Data Association）あるいはブルートゥース（Bluetooth）等の無線通信やシリアル通信，イーサネット（登録商標）等の有線通信によって接続する。
【００２０】
以上のように構成される患者の管理システム１は、例えば、管理対象となっている患者のＲＦＩＤタグ５ａに記録された情報を外部装置８を用いて以下のようにして読み出す。先ず、図３に示すように、外部装置８を操作して読出し信号を通信部６に出力する（ステップＳ１０１）。このとき、ベッド２の周囲にリストバンド５を装着した患者が複数存在しているときには、予め患者のＲＦＩＤタグ５ａごとに付与した固有の識別番号に基づいて患者を特定する。但し、患者を特定できないときには、ポーリングによってパワーを絞り込む等によって管理すべき患者（ＲＦＩＤタグ５ａ）を特定する。また、外部装置８は、通信部６に読出し信号を出力すればよく、ＲＦＩＤタグ５ａの位置を特定する必要がないので、情報を容易に管理することができる。
【００２１】
そして、通信部６が読出し信号を受信すると、図３に示すように、この信号をアンテナ３がＲＦＩＤタグ５ａに発信する（ステップＳ１０２）。ＲＦＩＤタグ５ａ内のアンテナが読出し信号を受信すると、ＲＦＩＤタグ５ａ内のＩＣチップが起動し、チップ内に記録されたその患者についての情報を信号化し、発信する（ステップＳ１０３）。
【００２２】
すると、この信号をアンテナ３が受信し、図３に示すように、通信部６から出力する（ステップＳ１０４）。外部装置８は、このようにして出力されたＲＦＩＤタグ５ａに記録された特定の患者についての情報信号を受信する（ステップＳ１０５）。これにより、情報の読み出しが終了するが、外部装置８は、読み出した情報を具体的に読めるようにするため、パーソナルコンピュータへ出力してデータ処理させる。
【００２３】
患者の管理システム１は、特定の患者に関する情報を、外部装置８を用いてＲＦＩＤタグ５ａからアンテナ３を介して読み出すことができる。また、特定の患者に関する情報をＲＦＩＤタグ５ａに書き込むこときも、上記と同様に行えばよい。このため、患者の管理システム１を利用することにより、情報を読み出し、あるいは書き込む際にＲＦＩＤタグの位置を特定しなくとも情報を容易に管理することができる。ここで、外部装置８は、直接ＲＦＩＤタグ５ａと情報を送受信してもよい。
【００２４】
（実施の形態２）
次に、本発明の管理システムに係る実施の形態２を説明する。図４は、本発明の管理システムとして、ペットショップにおける動物の管理システムに係る実施の形態２を示す正面図である。図５は、図４のＡ部を拡大した斜視図である。
【００２５】
図４に示す実施の形態２に係る動物の管理システムは、ペットショップの動物管理室Ｈ内に配置した複数の檻１０の夫々に犬や猫等のペットＰが個別に収容されている。このとき、各ペットＰは、首輪等が装着され、この首輪等にＲＦＩＤタグが取り付けられている。また、檻１０は、図５に示すように、構成材である複数のフレーム材１０ａの一部にアンテナ１１を含んでいる。アンテナ１１は、図６に示すように、導電性金属１１ａをフレーム材１０ａと絶縁する絶縁体１１ｂで被覆され、通信部６と接続されたリード線１２が延出している。そして、複数の檻１０夫々の通信部６は、図４に示すように、一箇所に集約されている。
【００２６】
従って、実施の形態２に係る動物の管理システムは、図４に示すように、通信部６を集約したことにより、外部装置８は、実施の形態１の効果に加え、各ペットＰに装着したＲＦＩＤタグとの間でアンテナ１１を介して情報を送受信することができ、複数のペットＰを一括して管理することができる。このとき、複数のペットＰは、個々のペットＰごとに個別の識別番号を設定しておけばよい。また、実施の形態２に係る動物の管理システムは、檻の中の鳥類等の動物、籠や箱に収容した動物、更には水槽に収容した魚類等にも適用できるうえ、ペット等の動物が危険な猛獣等の場合に、外部装置８を動物に近づける必要がないので、管理者の安全を確保しつつ安全に動物を管理することができる。
【００２７】
尚、本発明の管理システムは、部屋の周囲にアンテナを配置することで、複数の部屋が存在するホテル等における在室者の管理や、絵画や貴金属等の高価な物品を展示している場合に、物品の周囲にアンテナを配置することで、展示効果を妨げることなく物品の盗難防止を兼ねた管理等にも用いることができる。
【産業上の利用可能性】
【００２８】
以上のように、本発明にかかる管理システムは、情報を読み出し、あるいは書き込む際に情報記録媒体の位置を特定しなくとも管理対象を容易に管理するのに有用であり、特に、医療現場における患者や動物の管理に適している。
【図面の簡単な説明】
【００２９】
【図１】本発明の管理システムとして、医療現場における患者の管理システムに係る実施の形態１を示す斜視図である。
【図２】図１の管理システムの構成を示すブロック図である。
【図３】図１に示す患者の管理システムを用いて患者のＲＦＩＤタグに記録された情報を読み出すときの一例を示すフローチャートである。
【図４】本発明の管理システムとして、ペットショップにおける動物の管理システムに係る実施の形態２を示す正面図である。
【図５】図４のＡ部を拡大した斜視図である。
【図６】檻を構成する複数のフレーム材の一部に含まれるアンテナの断面図である。
【符号の説明】
【００３０】
１              管理システム
２              ベッド
３              アンテナ
４              患者
５              リストバンド
５ａ            ＲＦＩＤタグ
６              通信部
６ａ            ＲＦＩＤリーダライタ
８              外部装置
８ａ            アンテナ
８ｂ            制御部
８ｃ            リーダライタ
８ｄ            入力部
１０            檻
１０ａ          フレーム材
１１            アンテナ
１１ａ          導電性金属
１１ｂ          絶縁体
１２            リード線
Ｈ              動物管理室
Ｐ              ペット
【図１】
2006243925.tif 000003
【図２】
2006243925.tif 000004
【図３】
2006243925.tif 000005
【図４】
2006243925.tif 000006
【図５】
2006243925.tif 000007
【図６】
2006243925.tif 000008